(57)【要約】      （修正有）【課題】印刷対象電子メールの宛先アドレスでプリンターの機体と印刷条件を指定することを可能にしつつ、アドレス管理に必要な記憶容量の増大を抑制する。【解決手段】印刷制御サーバー１は、プリンターの機体と前記プリンターに固有の機体指定文字列とを対応付けて管理する機体管理部１６と、印刷条件と前記印刷条件ごとに定められる印刷条件指定文字列とを対応付けて管理する設定管理部１５と、ローカル部およびドメイン部を含む宛先アドレスが宛先に指定された電子メールを受信する受信部１１と、前記宛先アドレスのローカル部に前記機体指定文字列と前記印刷条件指定文字列とが含まれる場合、当該機体指定文字列に対応するプリンターの機体を印刷先として当該印刷条件指定文字列に対応する印刷条件を設定する設定部と、前記電子メールに基づく印刷を前記印刷先としたプリンターの機体に前記設定した印刷条件で印刷させるプリンター通信部１２と、を備える。【選択図】図１
2015118427.tif 000002
【特許請求の範囲】
【請求項１】
プリンターに印刷を実行させる印刷制御サーバーであって、
プリンターの機体と前記プリンターに固有の機体指定文字列とを対応付けて管理する機
体管理部と、
印刷条件と前記印刷条件ごとに定められる印刷条件指定文字列とを対応付けて管理する
設定管理部と、
ローカル部およびドメイン部を含む宛先アドレスが宛先に指定された電子メールを受信
する受信部と、
前記宛先アドレスのローカル部に前記機体指定文字列と前記印刷条件指定文字列とが含
まれる場合、当該機体指定文字列に対応するプリンターの機体を印刷先として、当該印刷
条件指定文字列に対応する印刷条件を設定する設定部と、
前記電子メールに基づく印刷を、前記印刷先としたプリンターの機体に、前記設定した
印刷条件で印刷させるプリンター通信部と、
を備える印刷制御サーバー。
【請求項２】
前記解析部は、前記ローカル部が前記機体指定文字列と前記印刷条件指定文字列との区
切を示す第一区切文字列を含む場合、前記第一区切文字列に基づいて前記機体指定文字列
と前記印刷条件指定文字列とを識別して前記ローカル部から抽出する、
請求項１に記載の印刷制御サーバー。
【請求項３】
前記解析部は、前記ローカル部が複数の前記印刷条件指定文字列の区切を示す第二区切
文字列を含む場合、前記第二区切文字列に基づいて複数の前記印刷条件指定文字列を識別
して前記ローカル部から抽出する、
請求項１又は２に記載の印刷制御サーバー。
【請求項４】
前記電子メールに対応付けられた前記機体および前記印刷条件に対応する印刷データを
生成する印刷データ生成部をさらに備え、
前記プリンター通信部は、当該電子メールに対応付けられた前記機体に前記印刷データ
を送信する、
請求項１から３のいずれか一項に記載の印刷制御サーバー。
【請求項５】
プリンターの機体と前記プリンターに固有の機体指定文字列とを対応付けて管理し、
印刷条件と前記印刷条件ごとに定められる印刷条件指定文字列とを対応付けて管理し、
ローカル部およびドメイン部を含む宛先アドレスが宛先に指定された電子メールを受信
し、
前記宛先アドレスのローカル部に前記機体指定文字列と前記印刷条件指定文字列とが含
まれる場合、当該機体指定文字列に対応するプリンターの機体を印刷先として、当該印刷
条件指定文字列に対応する印刷条件を設定し、
前記電子メールに基づく印刷を、前記印刷先としたプリンターの機体に、前記設定した
印刷条件で印刷させる、
印刷制御方法。
【請求項６】
複数のプリンターと前記複数のプリンターに印刷を実行させる印刷制御サーバーとを備
える印刷システムであって、
前記印刷制御サーバーは、
プリンターの機体と前記プリンターに固有の機体指定文字列とを対応付けて管理する
機体管理部と、
印刷条件と前記印刷条件ごとに定められる印刷条件指定文字列とを対応付けて管理す
る設定管理部と、
ローカル部およびドメイン部を含む宛先アドレスが宛先に指定された電子メールを受
信する受信部と、
前記宛先アドレスのローカル部に前記機体指定文字列と前記印刷条件指定文字列とが
含まれる場合、当該機体指定文字列に対応するプリンターの機体を印刷先として、当該印
刷条件指定文字列に対応する印刷条件を設定する設定部と、
前記電子メールに基づく印刷を、前記印刷先としたプリンターの機体に、前記設定し
た印刷条件で印刷させるプリンター通信部と、
を備え、
前記プリンターは、
前記ジョブデータを受信する通信部と、
前記ジョブデータに基づいて印刷を実行する印刷部と、
を備える、
印刷システム。
【発明の詳細な説明】
【技術分野】
【０００１】
本発明は印刷制御サーバー、印刷制御方法及び印刷システムに関する。
【背景技術】
【０００２】
従来、プリンターに電子メールアドレス（以下、アドレスという。）を割り当てること
によって、情報処理端末とプリンターとが印刷対象データを電子メールを用いて送受信す
る技術が知られている。特許文献１には、１つのプリンターに対して複数のアドレスを割
り当て、互いに異なるアドレスのそれぞれに異なる印刷条件を対応付ける技術が開示され
ている。特許文献１に開示された技術によると、特定のアドレスを宛先に設定して電子メ
ールを送信すると、特定のプリンターに特定の印刷条件で印刷を実行させることが可能に
なる。
【先行技術文献】
【特許文献】
【０００３】
【特許文献１】特開２００５−１１５５５９号公報
【発明の概要】
【発明が解決しようとする課題】
【０００４】
しかしながら、特許文献１に開示された技術によると、プリンターの数と印刷条件の数
の積だけのアドレスをメールサーバーが管理し、アドレス毎にメールサーバーとプリンタ
ーが通信することになるため、アドレス管理に必要な記憶容量が増大してしまうという問
題がある。
【０００５】
本発明は、サーバに掛かるアドレス管理の負担を抑制しつつ、印刷対象電子メールの宛
先アドレスでプリンターの機体と印刷条件を指定できるようにすることを目的の１つとす
る。
【課題を解決するための手段】
【０００６】
（１）上記目的を達成するための印刷制御サーバーは、機体指定文字列とプリンターの
機体とを対応付けて記憶するとともに、機体指定文字列とは別に、印刷条件指定文字列を
印刷条件に対応付けて記憶する。このため、機体指定文字列と印刷条件指定文字列とをア
ドレスから抽出してプリンターの機体と印刷条件を特定することが可能になる。したがっ
て本発明によると、プリンターの機体毎かつ印刷条件毎にアドレスを管理する必要がなく
なり、アドレス管理に必要な記憶容量の増大を抑制することができる。なお、「宛先アド
レス」とは、「ｔｏ」、「ｃｃ」、「ｂｃｃ」のいずれかに含まれるアドレスを意味する
。また「機体指定文字列」および「印刷条件指定文字列」はそれぞれ１文字以上の文字列
で構成される。
【０００７】
（２）上記目的を達成するための印刷制御サーバーにおいて、予め決められた第一区切
文字列に基づいて機体指定文字列と印刷条件指定文字列とを識別して抽出することにより
、機体指定文字列と印刷条件指定文字列とを抽出するために必要な処理量を低減すること
ができる。なお、「第一区切文字列」は１文字以上の文字列で構成されればよい。
【０００８】
（３）上記目的を達成するための印刷制御サーバーにおいて、予め決められた第二区切
文字に基づいて複数の印刷条件指定文字列を識別して抽出することにより、複数の印刷条
件指定文字列を抽出するために必要な処理量を低減することができるとともに、電子メー
ルを送信するユーザーは、複数の印刷条件を組み合わせて指定することが可能になる。な
お、「第二区切文字列」は１文字以上の文字列で構成されればよい。
【０００９】
（４）上記目的を達成するための印刷制御サーバーにおいて、印刷する機体と印刷条件
とに応じて印刷データを生成することにより、電子メールを送信するユーザーの情報処理
端末またはプリンターにおいて印刷データを生成する処理を簡素化または不要にできる。
【００１０】
また請求項に記載された各手段の機能は、構成自体で機能が特定されるハードウェア資
源、プログラムにより機能が特定されるハードウェア資源、又はそれらの組み合わせによ
り実現される。また、これら各手段の機能は、各々が物理的に互いに独立したハードウェ
ア資源で実現されるものに限定されない。さらに、本発明は、印刷制御方法、印刷システ
ムまたは印刷制御プログラム、もしくは印刷制御プログラムの記録媒体としても成立する
。むろん、そのプログラムの記録媒体は、磁気記録媒体であってもよいし光磁気記録媒体
であってもよいし、今後開発されるいかなる記録媒体であってもよい。
【図面の簡単な説明】
【００１１】
【図１】本発明の実施形態にかかるブロック図。
【図２】本発明の実施形態にかかるデータ構造図。
【図３】本発明の実施形態にかかるシーケンス図。
【図４】本発明の実施形態にかかる画面構成図。
【図５】本発明の実施形態にかかる模式図。
【発明を実施するための形態】
【００１２】
以下、本発明の実施の形態を添付図面を参照しながら説明する。尚、各図において対応
する構成要素には同一の符号が付され、重複する説明は省略される。
【００１３】
１．印刷システムの概要
本発明の印刷システムの一実施例の概要を図１に示す。印刷システムは、インターネッ
ト５等の電気通信回線によって接続された印刷制御サーバー１とインターネット通信機能
を有する１つ以上のプリンター４１、４２、４３とを備えている。プリンター４１、４２
、４３は印刷制御サーバー１に機体ＩＤ等を登録することによって印刷システムに組み込
まれる。ユーザーはスマートフォン３１、ＰＣ（Personal Computer）３２等の任意の情
報処理端末から、所定の機体指定文字列をローカル部に含むアドレスを宛先に設定した電
子メールを送信することにより、プリンター４１、４２、４３に電子メールのコンテンツ
を印刷させることが可能である。またユーザーは、アドレスのローカル部に所定の印刷条
件指定文字列を含めることによって、プリンター４１、４２、４３の印刷条件を指定する
ことが可能である。
【００１４】
２．印刷制御サーバーの構成
図１に示すように、印刷制御サーバー１は、受信部１１、プリンター通信部１２、解析
部１３、印刷データ生成部１４、設定管理部１５および機体管理部１６を備えるコンピュ
ーターシステムである。受信部１１、プリンター通信部１２、解析部１３、印刷データ生
成部１４、設定管理部１５および機体管理部１６の機能は、図示しないプロセッサが所定
のプログラムを外部記憶装置から主記憶装置にロードして実行することによって実現され
る。
【００１５】
受信部１１は、メールサーバーとして機能する。具体的には例えばＳＭＴＰ（Simple M
ail Transfer Protocol）に準拠した電子メールを送受信し、自身に割り当てられている
所定のドメインを宛先アドレスに含む電子メールを保存する。
【００１６】
機体管理部１６は、所定のプリンターの機体と所定の機体指定文字列とを対応付けてハ
ードディスク装置等の不揮発性記憶媒体に記憶する。具体的には例えば、図２Ａに示す機
体管理テーブル１６ａを用いる。機体管理テーブル１６ａは、プリンターの機体と機体指
定文字列とを対応付ける。機体指定文字列は印刷制御サーバー１が通信する相手側のプリ
ンターの機体を特定できれば良い。機体指定文字列は、機体毎にユニークであれば良く、
プリンターのＭＡＣアドレスや製造番号やＩＰアドレスをそのまま用いても良いし、これ
らとは別に印刷制御サーバー１が印刷システム内部でユニークに付与する独自の文字列を
用いても良いし、印刷システム内部でユニークな範囲でユーザーが指定する文字列を用い
ても良い。図２Ａに示す機体管理テーブル１６ａでは、ユーザーが機体指定文字列を指定
できるように機体ＩＤおよび機体指定文字列を別のデータとして記憶している。なお、印
刷制御サーバー１がプリンターと通信する際に用いる機体ＩＤを常にそのまま機体指定文
字列とする場合には、機体ＩＤを機体指定文字列として記憶するだけでよい。機体管理テ
ーブル１６ａは、ユーザーがプリンターを印刷制御サーバー１に登録する際に、プリンタ
ーと印刷制御サーバー１とが通信することによって更新される。そしてこの際に、登録さ
れたプリンターに対応する機体指定文字列とドメインを含むアドレスがプリンターを介し
てユーザーに通知されることになる。
【００１７】
設定管理部１５は、所定の印刷条件と所定の印刷条件指定文字列とを対応付けてハード
ディスク装置等の不揮発性記憶媒体に記憶する。具体的には例えば、図２Ｂに示す設定管
理テーブル１５ａを用いる。設定管理テーブル１５ａは、プリンターの一般的な印刷条件
と印刷指定文字列とを対応付ける。印刷指定文字列は、例えばモノクロ印刷に対して「mo
no」、ドラフト印刷に対して「draft」、両面印刷に対して「double」、部数印刷に対し
ては、部数に対応する数字というように、対応する印刷条件をユーザーが認識しやすい文
字にすることが好ましい。
【００１８】
解析部１３は、印刷制御サーバー１に割り当てられているドメイン宛の電子メールを受
信部１１が受信すると、記憶された電子メールを解析することによって、印刷対象となる
コンテンツ（電子メールに添付されたファイルまたは電子メールの本文）と、そのコンテ
ンツを印刷させるプリンターと、印刷条件とを特定し、電子メールのコンテンツに対して
プリンターの機体と印刷条件とを対応付ける。
【００１９】
印刷データ生成部１４は、解析部１３によって特定された印刷条件と機体とに基づいて
、印刷対象のコンテンツを印刷データに変換する。この印刷データは特定された機体が印
刷対象として処理できる形式のデータであればよい。
【００２０】
プリンター通信部１２は、ＸＭＰＰ（Extensible Messaging and Presence Protocol）
等のリアルタイム通信プロトコルとＨＴＴＰとを組み合わせて各プリンターと通信する。
プリンター通信部１２は、解析部１３によって特定されたプリンターと通信することによ
り、当該プリンターに印刷データを送信する。その結果、印刷制御サーバー１が受信した
特定の電子メールのコンテンツが、当該電子メールの送信者が指定したプリンターの機体
によって、当該送信者が指定した印刷条件で印刷される。
【００２１】
３．印刷システムの作動
次に印刷システムの作動を図３を参照しながら説明する。
印刷システムを利用するユーザーは、印刷制御サーバー１から通知されたアドレスを宛
先とし、印刷対象とするファイルを添付した電子メールを、スマートフォン３１、ＰＣ３
２等の情報処理端末を用いて作成する（Ｓ１０）。なお、ファイルが添付されない場合に
は、電子メールの本文を印刷対象として指定したとみなされる。想定される第一の状況と
しては、ユーザーの目の前にプリンター４３が設置されているが、ユーザーのスマートフ
ォン３１にはプリンター４３のドライバーがインストールされていない状況である。想定
される第二の状況としては、ユーザーが自宅や勤務先や取引先といった遠隔地にあるプリ
ンター４３に印刷を実行させようとする状況である。印刷制御サーバー１から通知された
アドレスは、宛先の"ｔｏ"に設定しても良いし、宛先の"ｃｃ"に設定しても良い。ただし
、宛先の"ｂｃｃ"に印刷制御サーバー１から通知されたアドレスを設定した場合には、後
述するように無効になる。このような電子メールは、図４に示すような一般的なＭＵＡ（
Mail User Agent）のＧＵＩを用いてユーザーに作成させてもよいが、プリンターの機体
と印刷条件を指定すると、テキスト入力することなく印刷指定文字列を含むアドレスを宛
先に設定可能なアプリケーションプログラムを提供することも可能である。
【００２２】
ユーザーは、宛先アドレスのローカル部に所定の印刷条件指定文字列を付加することに
より、印刷条件を指定することが可能である。具体的には例えばモノクロの両面印刷を指
定する場合には、図４に示すように、機体指定文字列"abxpet9rw7"の後に、区切文字"+"
を付け、区切文字の後に印刷条件指定文字列"mono"および"double"を付加する。印刷条件
指定文字列を組み合わせて印刷条件を指定する場合には、印刷条件指定文字列同士を区切
る区切文字"+"を用いる。なお、機体指定文字列と印刷条件指定文字列を区切る文字は、
機体指定文字列および印刷条件指定文字列から識別可能な文字であればよく、１文字でも
２文字以上の文字列でも良い。同様に、印刷条件指定文字列同士を区切る文字も、印刷条
件指定文字列と識別可能な文字であればよく、１文字でも２文字以上の文字列でも良い。
そして、機体指定文字列と印刷条件指定文字列を区切る区切文字は、同一文字でも良いし
、互いに異なる文字を用いても良い。
【００２３】
印刷制御サーバー１に割り当てられたドメイン宛の電子メールが任意の情報処理端末か
ら送信されると（Ｓ１１）、ルーター５１、５３、５５、５６、インターネット５等を経
由して受信部１１が受信する（Ｓ２０）。
【００２４】
印刷制御サーバー１に割り当てられたドメイン宛の電子メールを受信部１１が受信する
と、受信した電子メールの解析を解析部１３が開始する。
まず解析部１３は、ヘッダーフィールドの"ｔｏ"または"ｃｃ"に設定されている電子メ
ールアドレスのローカル部に機体指定文字列が含まれているか否かを機体管理テーブル１
６ａに基づいて判定する。そしてヘッダーフィールドの"ｔｏ"または"ｃｃ"に設定されて
いる電子メールアドレスのローカル部に機体指定文字列が含まれていない電子メールを破
棄する。したがって、印刷制御サーバー１に登録されたプリンター４１、４２、４３に対
応するアドレスをユーザーが"ｂｃｃ"に設定した場合には、その電子メールは無効になる
。ヘッダーフィールドの"ｔｏ"または"ｃｃ"に記述されている電子メールアドレスのロー
カル部に機体指定文字列が含まれている場合、その機体指定文字列に対応するプリンター
の機体が機体管理テーブル１６ａに基づいて特定され、特定されたプリンターの機体に対
応するメールボックスにその電子メールを保存する（Ｓ２１）。例えば、図２Ａに示す機
体管理テーブル１６ａと図２Ｂに示す印刷条件管理テーブル１５ａが印刷制御サーバーに
記憶され、印刷制御サーバー１にドメイン"print.example.com"が割り当てられている場
合、図５に示すように、宛先の"ｔｏ"に"abxpet9rw7+mono+double@ print.example.com"
が設定された電子メールＥ１はメールボックス１１ａに保存され、宛先の"ｔｏ"に" hpte
gt7vv2+double@print.example.com"が設定された電子メールＥ２、Ｅ３はメールボックス
１１ｂに保存される。
【００２５】
次に解析部１３は、メールボックスに保存された電子メールから印刷対象のコンテンツ
を抽出して保存する（Ｓ２２）。具体的には、電子メールにファイルが添付されている場
合、添付ファイルを抽出して印刷対象として保存する。電子メールにファイルが添付され
ていない場合、本文を抽出して印刷対象として保存する。
【００２６】
次に解析部１３は、メールボックスに保存された電子メールの宛先アドレスのうち、機
体識別文字列をローカル部に含むアドレスのローカル部から印刷条件指定文字列を抽出す
る（Ｓ２３）。このとき、区切文字"＋"を区切として印刷条件指定文字列が抽出される。
なお、そのアドレスが"ｔｏ"、"ｃｃ"のいずれに設定されていても、その違いは無視され
る。
【００２７】
次に解析部１３は、印刷条件指定文字列に対応する印刷条件を印刷条件管理テーブル１
５ａを参照して特定し、特定した印刷条件とプリンターの機体をステップＳ２２で保存し
た印刷対象のコンテンツに対応付ける（Ｓ２４）。具体的には、図４に示す電子メールを
印刷制御サーバー１が受信した場合には、図５に示すように機体管理テーブル１６ａと印
刷条件管理テーブル１５ａが参照され、機体ＩＤ"abxpet9rw7"とモノクロ印刷と両面印刷
とコンテンツのファイル名"img999.jpg"とがジョブＩＤ"2013113011"に対応付けて印刷ジ
ョブテーブル１３ａに記憶される。
【００２８】
次に印刷データ生成部１４は、印刷対象のコンテンツに基づいて、対応するプリンター
の機種と印刷条件とに応じた印刷データを生成し、機体ＩＤに対応付けて保存する（Ｓ２
５）。具体的には例えば、生成した印刷データのファイル名を印刷ジョブテーブル１３ａ
に保存すればよい。
【００２９】
印刷データが生成されると、プリンター通信部１２は、機体ＩＤに対応するプリンター
の機体に印刷ジョブが発生したことを通知するための印刷ジョブ発生通知を送信する（Ｓ
２６）。その結果、ユーザーが宛先アドレスに含めた機体指定文字列に対応するプリンタ
ーの機体が印刷ジョブ発生通知を受信する（Ｓ３０）。印刷ジョブ発生通知には、印刷デ
ータをダウンロードするためのＵＲＬ等が含まれている。ＸＭＰＰ等のプッシュ型プロト
コルを用いて印刷ジョブ発生通知を送受信することにより、遅滞なく印刷ジョブを印刷制
御サーバー１からプリンターに送信することが可能になる。プル型のプロトコルを用いる
場合にはプリンターから印刷制御サーバー１に対して定期的に問い合わせをすることが必
要になるため、印刷制御サーバー１の処理負担と通信トラフィックが増大する。
【００３０】
印刷ジョブ発生通知を受信したプリンターは、印刷開始が可能なアイドル状態になるの
を待って、印刷データを印刷制御サーバー１から取得するための印刷データ要求を印刷制
御サーバー１に送信する（Ｓ３１）。印刷データ要求の送受信では、例えばＨＴＴＰが用
いられ、印刷ジョブをダウンロードするためのＵＲＬやプリンターの機体ＩＤがルーター
５５、５６、インターネット５を介して送信される。すなわち印刷制御サーバー１に登録
されるプリンター４１、４２、４３は、インターネット接続機能を有する通信部を備える
。
【００３１】
印刷制御サーバー１は、印刷データ要求を受信すると（Ｓ２７）、ジョブデータとして
の印刷データをプリンターに送信する（Ｓ２８）。印刷データの送受信には例えばＨＴＴ
Ｐが用いられる。
【００３２】
プリンターは、印刷ジョブ要求に応じて印刷データを受信すると（Ｓ３２）、印刷デー
タに基づいて印刷部で印刷を実行する（Ｓ３３）。印刷制御サーバー１に登録されるプリ
ンターの印刷部は、インクジェット方式、レーザー方式、熱転写方式などどのような印刷
方式で印刷を実行するものであってもよい。プリンターが受信する印刷データは、ユーザ
ーが指定した印刷条件指定文字列に対応する印刷条件とユーザーが指定した機体指定文字
列に対応する機体に応じて生成されているため、プリンターはユーザーが指定した印刷条
件に従って印刷を実行することになる。
【００３３】
以上説明した印刷システムでは、機体指定文字列とプリンターの機体とを対応付けて機
体管理部１６が記憶するとともに、機体指定文字列とは別に、印刷条件指定文字列を印刷
条件に対応付けて設定管理部１５が記憶する。このため、プリンターの機体毎かつ印刷条
件毎にアドレスを管理する必要がなくなり、アドレス管理に必要な記憶容量を抑制できる
。そしてアドレスでプリンターの機体と印刷条件を指定することができるため、電子メー
ルの本文や件名を印刷対象にしたり電子メールの整理に用いるなど別の用途に用いること
ができる。また以上説明した印刷システムでは、印刷制御サーバー１が区切文字を用いて
機体指定文字列および印刷指定文字列を抽出するため、アドレスを解析して機体指定文字
列と印刷条件指定文字列を抽出する処理が簡素である。そして、印刷制御サーバー１が区
切文字を用いて複数の印刷条件指定文字列を抽出するため、アドレスを解析して複数の印
刷条件指定文字列を抽出する処理も簡素である。また以上説明した印刷システムでは、印
刷制御サーバー１が電子メールのコンテンツと印刷条件とに応じて印刷データを生成する
ため、電子メールを送信するユーザーの情報処理端末またはプリンターにおいて印刷デー
タを生成する処理を簡素化または不要にできる。また印刷部数をアドレスによって指定で
きるようにすることで、印刷しようとする１部ごとに電子メールを送信する必要がなくな
るため、通信量を抑制することができる。
【００３４】
３．他の実施形態
尚、本発明の技術的範囲は、上述した実施例に限定されるものではなく、本発明の要旨
を逸脱しない範囲内において種々変更を加え得ることは勿論である。
例えば、機体管理部１６において、１つの機体指定文字列に対して複数のプリンターの
機体を対応付けてもよい。この場合、例えば、電子メールの送信者アドレスと宛先アドレ
スの機体指定文字列との組み合わせによってプリンターの機体を１つ特定することができ
る。具体的には、機体管理部１６において、プリンターの機体と機体指定文字列と送信者
アドレスとを対応付けて記憶し、解析部１３において、機体指定文字列と送信者アドレス
とに対応するプリンターの機体を特定すればよい。
【００３５】
また、１つの機体指定文字列に対して複数のプリンターの機体を対応付ける場合、指定
された印刷条件に対応している機体を解析部１３が１つ選択するようにしてもよい。この
場合、機体管理部１６において、プリンターの機体と機体指定文字列と当該機体が対応し
ている印刷条件とを対応付けて記憶すればよい。
【００３６】
また例えば、機体管理部１６において１つの機体指定文字列に対して１つのプリンター
の機体を対応付けて記憶する場合でも、電子メールの送信者アドレスによって機体指定文
字列に対応するプリンターによる印刷を許可または拒否してもよい。これは例えば、機体
管理テーブル１６ａに、対応する機体による印刷を許可する送信者のアドレスを登録して
おくことで実現可能である。
【００３７】
また例えば、印刷制御サーバー１から各プリンターに印刷対象の電子メールをそのまま
転送するようにしてもよい。例えば、プリンター毎にアドレスのローカル部を１つ割り当
て、プリンターと印刷制御サーバー１の通信をＳＭＴＰにする。そして、印刷制御サーバ
ー１は、上記実施例と同様に印刷条件指定文字列が宛先アドレスのローカル部に付け加え
られていてもプリンター毎に１つのメールボックスに電子メールを保存し、プリンターか
らメールボックスを監視すればよい。このように印刷制御サーバー１が受信する電子メー
ルをプリンターから監視する場合を想定しても、印刷条件毎にアドレスが割り当てられて
いないため、通信量の増大を抑制することができる。
【００３８】
また例えば印刷制御サーバー１を複数のコンピューターシステムで構成しても良い。例
えば、受信部１１、プリンター通信部１２、解析部１３、印刷データ生成部１４、設定管
理部１５、機体管理部１６をそれぞれ別のコンピューターシステムで構成し、これらをネ
ットワーク接続することによって印刷制御サーバーを実現しても良い。
【００３９】
また例えば、印刷制御サーバーと各プリンターとを同一ドメインのネットワークに設置
しても良い。例えば、印刷制御サーバーとＬＡＮで接続されたプリンターだけを印刷制御
サーバーに登録してもよい。
【符号の説明】
【００４０】
１…印刷制御サーバー、２…メールサーバー、５…インターネット、１１…受信部、１１
ａ…メールボックス、１１ｂ…メールボックス、１２…プリンター通信部、１３…解析部
、１３ａ…印刷ジョブテーブル、１４…印刷データ生成部、１５…設定管理部、１５ａ…
印刷条件管理テーブル、１６…機体管理部、１６ａ…機体管理テーブル、３１…スマート
フォン、３２…ＰＣ、４１、４２、４３…プリンター、５１、５３、５５、５６…ルータ
ー、Ｅ１、Ｅ２…電子メール
【図１】
2015118427.tif 000003
【図２】
2015118427.tif 000004
【図３】
2015118427.tif 000005
【図４】
2015118427.tif 000006
【図５】
2015118427.tif 000007